(57)【要約】      （修正有）【課題】光線が均一に分配され、ランプの下の範囲が特に明るくなるガウス分布現象を回避することが可能であり、ランプの光放出部を目視する間の目のくらみ現象を阻止することができ、およびランプ直下の光線を除いて、ランプ周辺の他の光線は完全に覆い隠され、従って、光学的汚染の影響は得られない配光板を提供する。【解決手段】それぞれに多重焦点のある複数の光格子１００３から１００８を有する配光板において、配光板はランプの光出力面に使用され、少なくとも一つのその表面にそれぞれに多重焦点を有する複数の光格子１００３から１００８のある少なくとも一つの透明板１００１が提供され、多重焦点を有する光格子１００３から１００８はそれぞれ、二つ以上の焦点を有する凸面レンズ格子を形成するため、二つ以上の相互に統合して並置されるアーチ型（凸面または凹面）レンズから成る。【選択図】図１０
2009283454.tif 000002
【特許請求の範囲】
【請求項１】
それぞれに多重焦点のある複数の光格子を有する配光板において、前記配光板はランプの光出力面に前記ランプの光線の屈折角度方向を制御するため使用され、そのため前記光線は照明される区域を均一な分配効果を得るよう照射できるようになり、前記ランプは隠しランプシェード、少なくとも一つの反射面、および少なくとも一つの光源を含み、前記それぞれに多重焦点のある複数の光格子を有する配光板は、少なくとも一つの側に多重焦点を有する複数の光格子が形成される少なくとも一つの透明板を含み、前記配光板は、
前記多重焦点を有する光格子はそれぞれ、少なくとも二つの焦点を有する凸面レンズ格子を形成するため、二つ以上の相互に統合して並置されるアーチ型（凹面または凸面）レンズから成り、前記多重焦点を有する光格子それぞれを形成する前記アーチ型（凹面または凸面）レンズそれぞれの曲率および傾斜角度は、前記凸面レンズの表面を通る入射光線の屈折角度に従って変化する、
ことを特徴とする。
【請求項２】
前記透明板はその上面にそれぞれが多重焦点を有する複数の光格子が備わり、前記多重焦点のある光格子はストリップ状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項３】
前記透明板はその上面にそれぞれが多重焦点を有する複数の光格子が備わり、前記多重焦点のある光格子は環状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項４】
前記透明板はその上面にそれぞれが多重焦点を有する複数の光格子が備わり、前記多重焦点のある光格子は雲状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項５】
前記透明板はその上面にそれぞれが多重焦点を有する複数の光格子が備わり、前記多重焦点のある光格子は非同心円の環状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項６】
前記透明板はその上面にそれぞれが多重焦点を有する複数の光格子が備わり、前記多重焦点のある光格子は複数の非同心円の環状の光格子および複数の部分的に環状の光格子から成り、前記上面は前記ランプの光受容面であり、前記透明板の底面は平面でかつ前記ランプの照明面である、請求項１に記載のそれぞれに多重焦点のある複数の光格子を有する配光板。
【請求項７】
前記透明板はその上面にそれぞれが多重焦点を有する複数の光格子が備わり、前記多重焦点のある光格子は複数の非同心円でかつ部分的に環状の光格子から成り、前記上面は前記ランプの光受容面であり、前記透明板の底面は平面でかつ前記ランプの照明面である、請求項１に記載のそれぞれに多重焦点のある複数の光格子を有する配光板。
【請求項８】
前記透明板はその上面にそれぞれが多重焦点を有する複数の光格子が備わり、前記多重焦点のある光格子は段階的に配置される環状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項９】
前記透明板はその上面にそれぞれが多重焦点を有する複数の光格子が備わり、前記多重焦点のある光格子は段階的に配置される環状の光格子で、前記上面は前記ランプの光受容面であり、前記透明板の底面はアーチ型面でかつ前記ランプの照明面である、請求項１に記載のそれぞれに多重焦点のある複数の光格子を有する配光板。
【請求項１０】
前記透明板はその上面にそれぞれが多重焦点を有する複数の光格子が備わり、前記多重焦点のある光格子はストリップ状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を有する配光板。
【請求項１１】
前記透明板はその上面にそれぞれが多重焦点を有する複数の光格子が備わり、前記多重焦点のある光格子は環状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を有する配光板。
【請求項１２】
前記透明板はその上面にそれぞれが多重焦点を有する複数の光格子が備わり、前記多重焦点のある光格子は一列に配置される粒状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項１３】
前記透明板はその上面にそれぞれが多重焦点を有する複数の光格子が備わり、前記多重焦点のある光格子は相互に重複しかつ一列に配置される粒状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項１４】
前記透明板はその上面にそれぞれが多重焦点を有する複数の光格子が備わり、前記多重焦点のある光格子は環状に配置される粒状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項１５】
前記透明板はその上面にそれぞれが多重焦点を有する複数の光格子が備わり、前記多重焦点のある光格子は相互に重複しかつ環状に配置される粒状の光格子で、前記上面は前記ランプの光受容面であり、前記透明板の底面は平面でかつ前記ランプの照明面である、請求項１に記載のそれぞれに多重焦点のある複数の光格子を有する配光板。
【請求項１６】
前記透明板はその上面にそれぞれが多重焦点を有する複数の光格子が備わり、前記多重焦点のある光格子は一列に配置される粒状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を有する配光板。
【請求項１７】
前記透明板はその上面にそれぞれが多重焦点を有する複数の光格子が備わり、前記多重焦点のある光格子は環状に配置される粒状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を有する配光板。
【請求項１８】
前記透明板の形は、長方形、円、楕円、および新奇の形から選択される、請求項１に記載のそれぞれに多重焦点のある複数の光格子を有する配光板。
【請求項１９】
前記透明板の材料は透明プラスチックおよび透明ガラスから選択される、請求項１に記載のそれぞれに多重焦点のある複数の光格子を有する配光板。
【請求項２０】
前記少なくとも一つの透明板の数量は相互に重複する二つであり、および上部の透明板はその上面に多重焦点を有する複数の光格子が提供され、前記上面は前記ランプの光受容面で、および前記上部透明板の底面は平面であり、および下部の透明板はその上面にそれぞれが多重焦点を有する複数の光格子が提供され、前記上面は前記ランプの光受容面で、前記下部透明板の底面は平面であるか、またはその上に複数の標準凸面レンズが形成され、および前記ランプの照明面である、請求項１に記載のそれぞれに多重焦点のある複数の光格子を有する配光板。
【請求項２１】
前記多重焦点を有する光格子それぞれの前記二つ以上の相互に統合して並置されるアーチ型レンズは凸面レンズである、請求項１に記載のそれぞれに多重焦点のある複数の光格子を有する配光板。
【請求項２２】
前記多重焦点を有する光格子それぞれの前記二つ以上の相互に統合して並置されるアーチ型レンズは凹面レンズである、請求項１に記載のそれぞれに多重焦点のある複数の光格子を有する配光板。
【請求項２３】
前記多重焦点を有する光格子それぞれの前記二つ以上の相互に統合して並置されるアーチ型レンズは、一部に凸面レンズおよび一部に凹面レンズを含む、請求項１に記載のそれぞれに多重焦点のある複数の光格子を有する配光板。
【発明の詳細な説明】
【技術分野】
【０００１】
本発明はそれぞれに多重焦点がある複数の光格子を有する配光板に関する。および特に、区域を均一な明るさで、ランプの明るさの損失を最小限にした状況下でまぶしくない柔らかい光線で照明することが可能である配光板に関する。配光板は住居、オフィス、工場、または照明が必要とされる道路などの場所への適用に適合され、および光学的汚染の現象を回避するのと同様、省エネの効果も達成することが可能である。
【背景技術】
【０００２】
一般的な照明灯は室内および屋外を含む二つの種類に分けられる。室内灯は主に、その内側に反射面１０３を有する半カバー型の隠しカバー１０１（図１Ａ参照）にそれぞれ取り付けられる。ランプの光線は、ランプ（光源）からの直接照射に加え、反射面１０３から直接に反射されるもの、および照明される区域へのランプの外側に反射される、かなり広い部分のか光線を含む。これらのランプは通常、くらみやめまいを感じさせる現象を結果として引き起こす目への光の照射を防ぐため、光源面に雲霧工程によって処理される。
【０００３】
屋外灯は主に、環境の要因を考慮して完全カバー型のカバー（図１Ｂ参照）であり、透明フード１０４の下に取り付けられ、フード１０４もまた、光源を目視する間の目のくらみ現象を阻止するため雲霧工程によって処理される。前記二つのタイプは、雲霧工程の処理によって明るさを大いに損失する一般的欠点を有し、これらの種の従来のランプは通常、ランプの明るさがそれぞれのランプの真下の範囲に集中されるガウス分布現象を有する。
【０００４】
現在可能な既知の光格子板は、菱形格子および凸面レンズ型格子を含み、これらはそれぞれ、図２および３に示される。
【０００５】
構造が本発明のものと、より類似する従来の菱形格子を表す図２を参照に、菱形格子ユニット２０１は平らな底面２０６、および複数の鋸歯の格子２０２、２０３を有する上面を有し、菱形格子２０１は互いの鏡像として相対的に設置される二つの直線のはす縁２０５、２０８から形成される。複数の入射光線２０４は、結果として初回屈折を引き起こすよう、同一入射角度方向で鋸歯格子２０２のはす縁２０５に入り、光線２０４が平面２０６に達するとき、それらは照明される区域２０９に向かって再度屈折される。同様に、複数の入射光線２０７は、結果として初回屈折を引き起こすよう、同一入射角度方向で鋸歯格子２０３のはす縁２０８に入り、光線２０７が平面２０６に達するとき、それらは照明される区域２１０に向かって再度屈折される。はす縁２０５、２０８または平面２０６への同一入射角度方向でそれらの入射光線から屈折された後の光線は常に互いに平行になる、つまり交差および拡散効果はなく、照明される区域に到達する光線は部分的に集光線を形成し、およびそれらは均一な分配効果を得ることは不可能であることが、図からわかる。
【０００６】
また構造が本発明のものと、より類似する他の従来の凸面レンズ格子ユニット３０１を表す図３を参照して、凸面レンズ格子ユニット３０１は平らな底面３０５、および複数の凸面レンズ格子３０２、３０３を有する上面を有し、凸面レンズ格子ユニット３０１は異なる曲率の二つの凸面レンズ格子３０２、３０３から成る。複数の入射光線３０４は、結果として初回屈折を引き起こすよう、同一入射角度方向で凸面レンズ３０２に入り、光線３０４が平面３０５に達するとき、それらは照明される区域３０７に向かって再度屈折される。同様に、複数の入射光線３０６は、結果として初回屈折を引き起こすよう、同一入射角度方向で凸面レンズ格子３０３に入り、光線３０６が平面３０５に達するとき、それらは照明される区域３０８に向かって再度屈折される。二つの凸面レンズ格子３０２、３０３へ同一入射角度方向で照射された後の光線は異なる角度方向で屈折を形成し、小さい曲率の方の凸面レンズ格子３０２は長焦点を有し、凸面レンズ格子３０２から屈折された後の光線は焦点で交差し、それらは区域３０７でより狭い照明範囲を形成する。凸面レンズ格子３０３から屈折された後の光線は焦点で交差し、それらは区域３０８でより広い照明範囲を形成することが、図からわかる。
【０００７】
凸面レンズ格子ユニット３０１が配光のための場所に適用される場合、下記に挙げるような少なくとも二つの欠点が生じる。第一に、すべての光線は凸面レンズ格子ユニット３０１の真下の部分に集中し、その照射距離は短く、かつそれらは広い照射範囲を有する効果を得ることが不可能である。および第二に、光線は互いに高度に重複されかつ結果としてガウス現象を受け、および均一な分配の効果を得ることが不可能である。
【０００８】
上記を考慮して、透明フード１０４は、従来の光格子の使用によって望ましい配光効果を得ることは不可能である。
【発明の概要】
【０００９】
従来のランプの欠陥を克服するため、本発明はそれぞれに多重焦点のある複数の光格子を有する配光板を提供する。配光板は、ランプのほとんどの光線の屈折角度を制御するため従来のランプの光出力面に取り付けられることが可能であり、そのため光線は均一な分配の効果が得られるよう照明される既定の区域を照射することができる。それぞれに多重焦点を有する複数の光格子の上面に少なくとも一つの透明板が提供され、多重焦点を有する光格子はそれぞれ、二つ以上の焦点を有する光格子を形成するため、二つ以上の相互に統合して並置されるアーチ型（凹面または凸面）レンズから成る。これらの多重焦点のある光格子はストリップ状の光格子であり、上面はランプの光受容面である。透明板の底面は平面、アーチ型面、またはその上に複数の標準凸面レンズが形成される面であることが可能であり、および底面はランプの照明面である。そのような構造により、光線は均一に分配されることが可能であり、およびランプの下方範囲が特に明るくなるガウス分布現象を回避すること、および光放出部を目視する間の目のくらみ現象を阻止することが可能で、および光線は明るさの損失を最小限にした状況下でより穏やかになる。
【００１０】
さらに、本発明で提供される配光板は、透明板の上面にそれぞれに多重焦点を有する複数の光格子が形成されることが可能であり、多重焦点を有する光格子はそれぞれ、二つ以上の焦点を有する光格子を形成するため、二つ以上の相互に統合して並置されるアーチ型（凹面または凸面）レンズから成る。これらの多重焦点のある光格子は環状の光格子であり、上面はランプの光受容面である。透明板の底面は平面、アーチ状面、またはその上に複数の標準凸面レンズが形成される面であることが可能で、および底面はランプの照明面である。
【００１１】
さらに、本発明で提供される配光板は、透明板の上面にそれぞれに多重焦点を有する複数の光格子が形成されることが可能であり、多重焦点を有する光格子はそれぞれ、二つ以上の焦点を有する光格子を形成するため、二つ以上の相互に統合して並置されるアーチ型凹面レンズから成る。これらの多重焦点のある光格子は雲状の光格子であり、上面はランプの光受容面である。透明板の底面は平面、アーチ状面、またはその上に複数の標準凸面レンズが形成される面であることが可能で、および底面はランプの照明面である。
【００１２】
およびさらに、本発明で提供される配光板は、透明板の上面にそれぞれに多重焦点を有する複数の光格子が形成されることが可能であり、多重焦点を有する光格子はそれぞれ、二つ以上の焦点を有する光格子を形成するため、二つ以上の相互に統合して並置されるアーチ型（凹面または凸面）レンズから成る。これらの多重焦点のある光格子は一列に配置される粒状であり、上面はランプの光受容面である。透明板の底面は平面、アーチ状面、またはその上に複数の標準凸面レンズが形成される面であることが可能で、および底面はランプの照明面である。
【００１３】
およびさらに、本発明で提供される配光板は、透明板の上面にそれぞれに多重焦点を有する複数の光格子が形成されることが可能であり、多重焦点を有する光格子はそれぞれ、二つ以上の焦点を有する光格子を形成するため、二つ以上の相互に統合して並置されるアーチ型（凹面または凸面）レンズから成る。これらの多重焦点のある光格子は環状に配置される粒状であり、上面はランプの光受容面である。透明板の底面は平面、アーチ状面、またはその上に複数の標準凸面レンズが形成される面であることが可能で、および底面はランプの照明面である。
【００１４】
およびまたさらに、本発明で提供される配光板は、透明板の上面にそれぞれに多重焦点を有する複数の光格子が形成されることが可能であり、多重焦点を有する光格子はそれぞれ、二つ以上の焦点を有する光格子を形成するため、二つ以上の相互に統合して並置されるアーチ型（凹面または凸面）レンズから成る。これらの多重焦点のある光格子は、一列または環状に配置される交互に重複する粒状であり、上面はランプの光受容面である。透明板の底面は平面、アーチ状面、またはその上に複数の標準凸面レンズが形成される面であることが可能で、および底面はランプの照明面である。
【００１５】
本発明で提供される配光板では、多重焦点を有する光格子のアーチ型（凹面または凸面）レンズそれぞれの曲率および傾斜角度は、アーチ型（凹面または凸面）レンズ表面を通る入射光線の屈折の角度に従って変化する。同様に、それぞれの標準凸面レンズの曲率およびそれぞれの二つの標準凸面レンズのレンズ間距離は、レンズ表面を通る入射光線の屈折の角度に従って変化する。従って、ランプの光線は照明される区域の小さい範囲に向かって屈折されることが可能であり、ゆえに光線は均一に分配されかつランプの下が特に明るくなるガウス分布現象を回避することが可能である。
【００１６】
本発明で提供される配光板はさらに改良されることが可能である、すなわち、透明板の底面の一部分が標準凸面レンズから成る複数のストリップ状または環状に配置される光格子で形成されることが可能であり、および一部分は多重焦点のある複数の凸面レンズ格子で形成されることが可能である。そのような構造により、より広い照明範囲が提供され、光線は均一に分配されることができ、ランプの光放出部分を目視する間の目のくらみ現象および光学的汚染現象が回避されることが可能である。
【図面の簡単な説明】
【００１７】
本発明はその構造および原理において、添付の図面を参照して好適な実施例の詳細な説明を読むことにより明確になる。
【００１８】
【図１Ａ】従来の半カバー型照明灯の略断面図である。
【図１Ｂ】従来の完全カバー型照明灯の略断面図である。
【図２】従来の菱形格子構造の光線進行を示す略図である。
【図３】従来の凸面レンズ格子の光線進行を示す略図である。
【図４】多重焦点を有し、および本発明の配光板の多重焦点を有するストリップ状、雲状、または環状の光格子の構造を形成する、二つの相互に統合して並置される凸面レンズから成る光格子を示す側面図である。
【図４Ａ】図４の光格子の上面図である。
【図５】多重焦点を有し、および本発明の配光板の多重焦点を有するストリップ状、雲状、または環状の光格子の構造を形成する、三つの相互に統合して並置される凸面レンズから成る光格子を示す側面図である。
【図５Ａ】図５の光格子の上面図である。
【図６】多重焦点を有し、および本発明の配光板の多重焦点を有するストリップ状、雲状、または環状の光格子の構造を形成する、四つの相互に統合して並置される凸面レンズから成る光格子を示す側面図である。
【図６Ａ】図６の光格子の上面図である。
【図７】多重焦点を有し、および本発明の配光板に多重焦点を有する、二つの焦点のある粒状光格子を形成する、二つの相互に統合して並置される凸面レンズから成る光格子を示す側面図である。
【図７Ａ】図７の光格子の上面図である。
【図８】多重焦点を有し、および本発明の配光板に多重焦点を有する、三つの焦点のある粒状光格子を形成する、三つの相互に統合して並置される凸面レンズから成る光格子を示す側面図である。
【図８Ａ】図８の光格子の上面図である。
【図９】多重焦点を有し、および本発明の配光板に多重焦点を有する、四つの焦点のある粒状光格子を形成する、四つの相互に統合して並置される凸面レンズから成る光格子を示す側面図である。
【図９Ａ】図９の光格子の上面図である。
【図１０】本発明の配光板の部分的断面図で、多重焦点を有する複数の光格子を示し、および相互に統合して並置される複数の凸面レンズの焦点をそれぞれ指し示す、拡大略図である。
【図１１】本発明の構造の多重焦点を有する複数の光格子が既定の区域への光線の照射を制御する設計を示す略図である。
【図１２】本発明の第一の好適な実施例の平面図である。
【図１２Ａ】本発明の第一の好適な実施例の平面図である。
【図１２Ｂ】本発明の第一の好適な実施例の平面図である。
【図１３】本発明の第二の好適な実施例の平面図である。
【図１３Ａ】本発明の第二の好適な実施例の平面図である。
【図１３Ｂ】本発明の第二の好適な実施例の平面図である。
【図１４】本発明の第三の好適な実施例の平面図である。
【図１４Ａ】本発明の第三の好適な実施例の平面図である。
【図１４Ｂ】本発明の第三の好適な実施例の平面図である。
【図１５】本発明の第四の好適な実施例の平面図である。
【図１５Ａ】本発明の第四の好適な実施例の平面図である。
【図１５Ｂ】本発明の第四の好適な実施例の平面図である。
【図１６】本発明の第五の好適な実施例の平面図である。
【図１６Ａ】本発明の第五の好適な実施例の平面図である。
【図１６Ｂ】本発明の第五の好適な実施例の平面図である。
【図１７】本発明の第六の好適な実施例の平面図である。
【図１７Ａ】本発明の第六の好適な実施例の平面図である。
【図１８】本発明の第七の好適な実施例の平面図である。
【図１８Ａ】本発明の第七の好適な実施例の平面図である。
【図１９】本発明の第八の好適な実施例の平面図である。
【図１９Ａ】本発明の第八の好適な実施例の平面図である。
【図１９Ｂ】本発明の第八の好適な実施例の平面図である。
【図２０】本発明の第九の好適な実施例の平面図である。
【図２０Ａ】本発明の第九の好適な実施例の平面図である。
【図２０Ｂ】本発明の第九の好適な実施例の平面図である。
【図２１】本発明の第十の好適な実施例の平面図である。
【図２１Ａ】本発明の第十の好適な実施例の平面図である。
【図２２】本発明の第十一の好適な実施例の平面図である。
【図２２Ａ】本発明の第十一の好適な実施例の平面図である。
【図２３】本発明の第十二の好適な実施例の平面図である。
【図２３Ａ】本発明の第十二の好適な実施例の平面図である。
【図２４】本発明の第十三の好適な実施例の平面図である。
【図２４Ａ】本発明の第十三の好適な実施例の平面図である。
【図２５】本発明の第十四の好適な実施例の平面図である。
【図２５Ａ】本発明の第十四の好適な実施例の平面図である。
【図２６】本発明の第十五の好適な実施例の平面図である。
【図２６Ａ】本発明の第十五の好適な実施例の平面図である。
【図２７】本発明の第十六の好適な実施例の平面図である。
【図２７Ａ】本発明の第十六の好適な実施例の平面図である。
【図２８】本発明の透明板の少なくとも一つの側が、それぞれに多重焦点がある複数の光格子を有し、およびランプに適用される配向板を形成するため使用される、一実施例を示す断面図である。
【図２９】本発明の透明板の少なくとも一つの側が、それぞれに多重焦点がある複数の光格子を有し、およびランプに適用される配向板を形成するため使用される、他の実施例を示す断面図である。
【図３０】多重焦点を有し、および本発明の配光板の多重焦点を有するストリップ状、雲状、または環状の光格子の構造を形成する、二つの相互に統合して並置される凹面レンズから成る光格子を示す側面図である。
【図３０Ａ】図３０の光格子の上面図である。
【図３１】多重焦点を有し、および本発明の配光板の多重焦点を有するストリップ状、雲状、または環状の光格子の構造を形成する、三つの相互に統合して並置される凹面レンズから成る光格子を示す側面図である。
【図３１Ａ】図３１の光格子の上面図である。
【図３２】多重焦点を有し、および本発明の配光板の多重焦点を有するストリップ状、雲状、または環状の光格子の構造を形成する、四つの相互に統合して並置される凹面レンズから成る光格子を示す側面図である。
【図３２Ａ】図３２の光格子の上面図である。
【図３３】多重焦点を有し、および本発明の配光板の多重焦点を有するストリップ状、雲状、または環状の光格子の構造を形成する、二つのアーチ型（一つの凸面および一つの凹面）の相互に統合して並置されるレンズから成る光格子を示す側面図である。
【図３３Ａ】図３３の光格子の上面図である。
【図３４】多重焦点を有し、および本発明の配光板の多重焦点を有するストリップ状、雲状、または環状の光格子の構造を形成する、三つのアーチ型（一つの凸面および二つの凹面）の相互に統合して並置されるレンズから成る光格子を示す側面図である。
【図３４Ａ】図３４の光格子の上面図である。
【図３５】多重焦点を有し、および本発明の配光板の多重焦点を有するストリップ状、雲状、または環状の光格子の構造を形成する、四つのアーチ型（二つの凸面および二つの凹面）の相互に統合して並置されるレンズから成る光格子を示す側面図である。
【図３５Ａ】図３５の光格子の上面図である。
【発明を実施するための形態】
【００１９】
本発明は、少なくとも一つの透明板がランプの照明カバーとしての配光板を形成するために使用される、それぞれに多重焦点のある複数の光格子を有する配光板に関する。透明板は長方形、円、楕円、または新奇の形であることが可能で、透明板の材料は透明プラスチック、透明ガラス、または他の透明材料であることが可能である。透明板は少なくとも一つの側に、ストリップ、環、雲、または粒状の多重焦点を有する複数の光格子が形成され、多重焦点を有する光格子はそれぞれ、二つ以上の焦点を有する凸面レンズ格子を形成するため、二つ以上の相互に統合して並置されるアーチ型（凹面または凸面）レンズから成り、アーチ型（凹面または凸面）レンズそれぞれの曲率および傾斜角度は、凸面レンズ表面を通る入射光線の屈折に従って変化する。
【００２０】
以下の実施例では、本発明の透明板から形成されるストリップ、環、雲、または粒状の多重焦点を有する光格子は、以下の種々の構造から選択される。
図４および４Ａを参照して、図面では、多重焦点を有する光格子４０１は、二つの相互に統合して並置される凸面レンズ４０２および４０３から成り、および光格子４０１の前および後側それぞれの垂直面である二つの面４０４、４０５があり、および多重焦点を有する光格子４０１の底面４０６は平面である。
図５および５Ａを参照して、図面では、多重焦点を有する光格子５０１は、三つの相互に統合して並置される凸面レンズ５０２、５０３、および５０４から成り、および光格子５０１の前および後側それぞれの垂直面である５０５、５０６があり、および多重焦点を有する光格子５０１の底面５０７は平面である。
図６および６Ａを参照して、図面では、多重焦点を有する光格子６０１は、四つの相互に統合して並置される凸面レンズ６０２、６０３、６０４、および６０５から成り、および光格子６０１の前および後側それぞれの垂直面である二つの面６０６、６０７があり、および多重焦点を有する光格子６０１の底面６０８は平面である。
【００２１】
相互に統合して並置される凸面レンズから成る光格子構造は多くの種類があるという理由により、上記に三種類の組成構造を略式に挙げるが、一般的に言えば、二つまたは三つの焦点を有し、およびストリップ、雲、または環状の、二つ以上の相互に統合して並置されるアーチ型（凹面または凸面）レンズから成る凸面レンズ格子は、すべて本発明の透明板から形成される多重焦点のある光格子の範囲内である。
【００２２】
以下の実施例では、粒状の、本発明の透明板から形成される多重焦点を有する光格子の構造は、以下から選択される。
図７および７Ａを参照して、図面では、多重焦点を有する光格子７０１は、二つの焦点を有する凸面レンズ格子を形成するため二つの相互に統合して並置される凸面レンズ７０２および７０３から成り、および多重焦点を有する光格子７０１の底面７０４は平面である。
図８および８Ａを参照して、図面では、多重焦点を有する光格子８０１は、三つの焦点を有する凸面レンズ格子を形成するため三つの相互に統合して並置される凸面レンズ８０２、８０３、および８０４から成り、および多重焦点を有する光格子８０１の底面８０５は平面である。
図９および９Ａを参照して、図面では、多重焦点を有する光格子９０１は、四つの焦点を有する凸面レンズ格子を形成するため四つの相互に統合して並置される凸面レンズ９０２、９０３，９０４、および９０５から成り、および多重焦点を有する光格子９０１の底面９０６は平面である。
【００２３】
相互に統合して並置される凸面レンズから成る光格子構造は多くの種類があるという理由により、上記に三種類の組成構造を略式に挙げるが、一般的に言えば、二つまたは三つの焦点を有し、および粒状の、二つ以上の相互に統合して並置される凸面レンズから成る凸面レンズ格子は、すべて本発明の透明板から形成される多重焦点のある光格子の範囲内である。
【００２４】
本発明の部分断面図で多重焦点を有する複数の光格子の構造を示す、拡大された略図（図１３Ａまたは１４Ａに示される実施例などのような）の図１０を参照する。図面では、透明板１００１の底面１００２は平面であり、および透明板１００１の上面はその上に複数の光格子（多重焦点を有する）１００３、１００４、１００５、１００６、１００７、および１００８が形成され、多重焦点を有する二つの光格子１００３、１００７はそれぞれ、同じ曲率および傾斜角度の二つの相互に統合して並置される凸面レンズから成り、多重焦点を有する光格子１００３の一つの凸面レンズ１００９は焦点１０２６を有し、光格子１００３のもう一方の凸面レンズ１０１０は焦点１０２５を有する。光格子１００４、１００６はそれぞれ、同じ曲率で異なる傾斜角度の二つの相互に統合して並置される凸面レンズから成り、多重焦点を有する光格子１００４の一つの凸面レンズ１０１１は焦点１０１９を有し、光格子１００４のもう一方の凸面レンズ１０１２は焦点１０１８を有する。多重焦点を有する光格子１００６の一つの凸面レンズ１０１３は焦点１０２１を有し、光格子１００６のもう一方の凸面レンズ１０１４は焦点１０２０を有する。光格子１００５は異なる曲率の二つの相互に統合して並置される凸面レンズから成り、一つの凸面レンズ１０１６は焦点１０２４を有し、もう一方の凸面レンズ１０１５は焦点１０２３を有し、残りの凸面レンズ１０１７は焦点１０２２を有する。
【００２５】
本発明の構造の複数の多重焦点を有する光格子が、既定の区域への光線の照射を制御する設計を示す図１１を参照して、図面では、透明板１１０１の底面１１０２は平面であり、および透明板１１０１の上面はその上に複数の光格子（多重焦点を有する）１１０３、１１０８、および１１１３が形成され、多重焦点を有する光格子１０１３は、同じ曲率および傾斜角度の二つの相互に統合して並置される凸面レンズ１１０４、１１０５から成り、複数の光線１１０６が同一の角度方向で光格子１１０３の凸面レンズ１１０５に入り、かつ初回屈折を形成するとき、および光線１１０６が平面１１０２に到達するとき、それらは照明される区域１１０７に向かって下方かつ右方向に再度屈折する。光格子１１０８は同じ曲率で異なる傾斜角度の二つの相互に統合して並置される凸面レンズ１１０９、１１１０から成り、複数の光線１１１１が光格子１１０８の凸面レンズ１１１０に同一角度方向で入り、かつ初回屈折を形成するとき、および光線１１１１が平面１１０２に到達するとき、それらは照明される区域１１１２に向かって下方かつ右方向に再度屈折する。光格子１１１３は異なる曲率の三つの相互に統合して並置される凸面レンズ１１１４、１１１５、および１１１６から成り、複数の光線１１１７が光格子１１１３の凸面レンズ１１１４に同一角度方向で入り、かつ初回屈折を形成するとき、および光線１１１１が平面１１０２に到達するとき、それらは照明される区域１１１８に向かって下方かつ左方向に再度屈折する。複数の光線１１１９が光格子１１１３の凸面レンズ１１１５に同一角度で入り、かつ初回屈折を形成するとき、および光線１１１９が平面１１０２に到達するとき、それらは照明される区域１１２０に向かって下方かつ左方向に再度屈折する。
【００２６】
同じ曲率で傾斜角度が異なる二つの凸面レンズ１１０５、１１１０に照射された後の光線が非常に異なる角度方向で屈折を形成することが、図から分かる。凸面レンズ１１０５はより大きい傾斜角度を有し、入射光線をより大きい屈折角度でランプの下方かつ右方向に進行させ、およびランプから離れたランプの下の区域への光線照射を制御する。これはより広い照明範囲の効果を作り出す。凸面レンズ１１１０はより小さい傾斜角度を有し、入射光線をランプの下方かつ右方向に傾斜角度で進行させ、およびランプに近いランプの下の区域への光線照射を制御する。これはより狭い範囲の照明の効果を作り出す。
【００２７】
また、異なる曲率の二つの凸面レンズ１１１４、１１１５に照射された後の光線が結果としてかなり異なる範囲の照明を引き起こすことも、図から分かる。凸面レンズ１１１５はより大きな曲率を有し、それにより入射光線は短い焦点距離で交差効果を引き起こし、およびより広い照明範囲の効果を作り出すため、区域への光線照射を制御する。凸面レンズ１１１４は凸面レンズ１１１５と比較して小さい曲率を有し、それにより入射光線は長い焦点距離で交差効果を引き起こし、およびより狭い照明範囲の効果を作り出すため、区域への光線照射を制御する。
【００２８】
上記に述べられたことから、多重焦点を有する光格子の複数の凸面レンズそれぞれの曲率および傾斜角度が適切に制御されると、照明される区域で広い照明範囲を有する効果および光線の均一な分配が得られることが分かる。および従って本発明は、図２の菱形格子ユニット２０１および図３の凸面レンズ格子ユニット３０１を使用する従来の場合より、優れた光線の分配を有することがわかる。
【００２９】
以下に本発明の光格子を説明する複数の例を示す。
【００３０】
本発明の配光板の第一の実施例の平面図である図１２、１２Ａ、および１２Ｂを参照して、図面では、透明板１２０１の底面１２０２は平面であり、および透明板１２０１の上面はその上に複数の多重焦点を有するストリップ状の光格子１２０３が形成される。これらの多重焦点を有するストリップ状の光格子１２０３は、図１０に示されるものと同様の光格子構造を形成し、多重焦点を有する光格子の凸面レンズそれぞれの曲率および傾斜の角度を設計する原理は、図１１で述べられたものと同様である。
【００３１】
本発明の配光板の第二の実施例の平面図である図１３、１３Ａ、および１３Ｂを参照して、図面では、透明板１３０１の底面１３０２は平面であり、および透明板１３０１の上面はその上に複数の多重焦点を有する環状の光格子１３０３が形成される。これらの多重焦点を有する環状の光格子１３０３は、図１０に示されるものと同様の光格子構造を形成し、多重焦点を有する光格子の凸面レンズそれぞれの曲率および傾斜の角度を設計する原理は、図１１で述べられたものと同様である。
【００３２】
本発明の配光板の第三の実施例の平面図である図１４、１４Ａ、および１４Ｂを参照して、図面では、透明板１４０１の底面１４０２は平面であり、および透明板１４０１の上面はその上に複数の多重焦点を有する雲状の光格子１４０３が形成される。これらの多重焦点を有する雲状の光格子１４０３は、図１０に示されるものと同様の光格子構造を形成し、多重焦点を有する光格子の凸面レンズそれぞれの曲率および傾斜の角度を設計する原理は、図１１で述べられたものと同様である。
【００３３】
本発明の配光板の第四の実施例の平面図である図１５、１５Ａ、および１５Ｂを参照して、図面では、透明板１５０１の底面１５０２は平面であり、および透明板１５０１の上面はその上に複数の多重焦点を有する環状の光格子１５０３が形成される。これらの多重焦点を有する環状の光格子１５０３は段階的に配置される。およびこれらの多重焦点を有する環状の光格子は、図１０に示されるものと同様の光格子構造を形成し、多重焦点を有する光格子の凸面レンズそれぞれの曲率および傾斜の角度を設計する原理は、図１１で述べられたものと同様である。
【００３４】
本発明の配光板の第五の実施例の平面図である図１６、１６Ａ、および１６Ｂを参照して、図面では、透明板１６０１の底面１６０２はアーチ型面であり、および透明板１６０１の上面はその上に複数の多重焦点を有する環状の光格子１６０３が形成される。これらの多重焦点を有する環状の光格子１６０３は段階的に配置される。およびこれらの多重焦点を有する環状の光格子は、図１０に示されるものと同様の光格子構造を形成し、多重焦点を有する光格子の凸面レンズそれぞれの曲率および傾斜の角度を設計する原理は、図１１で述べられたものと同様である。
【００３５】
本発明の配光板の第六の実施例の平面図である図１７および１７Ａを参照して、図面では、透明板１７０１の底面１７０２は平面であり、および透明板１７０１の上面はその上の中心範囲に、すべて多重焦点を有する複数の非同心円の環状の光格子１７０３、１７０４、１７０５、および１７０６が形成される。これらの多重焦点を有する環状の光格子１７０３、１７０４、１７０５、および１７０６は、図１０に示されるものと同様の光格子構造を形成し、多重焦点を有する光格子の凸面レンズそれぞれの曲率および傾斜の角度を設計する原理は、図１１で述べられたものと同様である。
【００３６】
本発明の配光板の第七の実施例の平面図である図１８および１８Ａを参照して、図面では、透明板１８０１の底面１８０２は平面であり、および透明板１８０１の上面は、その上の中心範囲に、すべて多重焦点を有する非同心円の環状光格子１８１２と複数の部分的に環状の光格子１８０３、１８０４、１８０５、１８０６、１８０７、１８０８、１８０９、および１８１０が形成される。これらの多重焦点を有する環状の光格子１８０３、１８０４、１８０５、１８０６、１８０７、１８０８、１８０９、および１８１０は、図１０に示されるものと同様の光格子構造を形成し、多重焦点を有する光格子の凸面レンズそれぞれの曲率および傾斜の角度を設計する原理は、図１１で述べられたものと同様である。
【００３７】
本発明の配光板の第八の実施例の平面図である図１９、１９Ａ、および１９Ｂを参照して、図面では、透明板１９０１の底面はその上に複数の標準凸面レンズ１９０２が形成され、および透明板１９０１の上面はその上に複数の多重焦点を有するストリップ状の光格子１９０３が形成される。透明板１９０１のこれらの多重焦点を有するストリップ状の光格子１９０３は、図１０に示されるものと同様の光格子構造を形成し、多重焦点を有する光格子の凸面レンズそれぞれの曲率および傾斜の角度を設計する原理は、図１１で述べられたものと同様であり、凸面レンズ１９０２のそれぞれの曲率を設計する原理は、図３で述べられたものと同様である。
【００３８】
本発明の配光板の第九の実施例の平面図である図２０、２０Ａ、および２０Ｂを参照して、図面では、透明板２００１の底面１２０２はその上に複数の標準凸面レンズ２００２が形成され、および透明板２００１の上面はその上に複数の多重焦点を有する環状の光格子２００３が形成される。透明板２００１のこれらの多重焦点を有する環状の光格子２００３は、図１０に示されるものと同様の光格子構造を形成し、多重焦点を有する光格子の凸面レンズそれぞれの曲率および傾斜の角度を設計する原理は、図１１で述べられたものと同様であり、標準凸面レンズ２００２それぞれの曲率を設計する原理は、図３で述べられたものと同様である。
【００３９】
本発明の配光板の第十の実施例の平面図である図２１および２１Ａを参照して、図面では、透明板２１０１の底面２１０２は平面であり、および透明板２１０１の上面はその上に複数の凸面レンズをそれぞれ含みかつ多重焦点をそれぞれ有する、多粒子を個々に有する複数の光格子２１０３が形成される。この図のこれらの多重焦点を有する粒の光格子２１０３はそれぞれ、一列に配置される四つの焦点を有する光格子を形成する、四つの相互に統合して並置される凸面レンズを個々に有する複数の凸面レンズ群から成る。透明板２１０１の多重焦点を有する粒状光格子の凸面レンズそれぞれの曲率および傾斜角度を設計する原理は、図１１で述べられたものと同様である。
【００４０】
本発明の配光板の第十一の実施例の平面図である図２２および２２Ａを参照して、図面では、透明板２２０１の底面２２０２は平面であり、および透明板２２０１の上面はその上に複数の凸面レンズをそれぞれ含みかつ多重焦点をそれぞれ有する、多粒子を個々に有する複数の粒状光格子２２０３が形成される。この図のこれらの多重焦点を有する粒の光格子２２０３はそれぞれ、一列にかつ互いに重複して配置される四つの焦点を有する光格子を形成する、四つの相互に統合して並置される凸面レンズを個々に有する複数の凸面レンズ群から成る。透明板２２０１の多重焦点を有する粒状光格子の凸面レンズそれぞれの曲率および傾斜角度を設計する原理は、図１１で述べられたものと同様である。
【００４１】
本発明の配光板の第十二の実施例の平面図である図２３および２３Ａを参照して、図面では、透明板２３０１の底面２３０２は平面であり、および透明板２３０１の上面はその上に複数の凸面レンズをそれぞれ含みかつ多重焦点をそれぞれ有する、多粒子を個々に有する複数の粒状光格子２３０３が形成される。この図のこれらの多重焦点を有する粒の光格子２３０３はそれぞれ、環状に配置される四つの焦点を有する光格子を形成する、四つの相互に統合して並置される凸面レンズを個々に有する複数の凸面レンズ群から成る。透明板２３０１の多重焦点を有する粒状光格子の凸面レンズそれぞれの曲率および傾斜角度を設計する原理は、図１１で述べられたものと同様である。
【００４２】
本発明の配光板の第十三の実施例の平面図である図２４および２４Ａを参照して、図面では、透明板２４０１の底面２４０２は平面であり、および透明板２４０１の上面はその上に複数の凸面レンズをそれぞれ含みかつ多重焦点をそれぞれ有する、多粒子を個々に有する複数の粒状光格子２４０３が形成される。この図のこれらの多重焦点を有する粒の光格子２４０３はそれぞれ、環状に配置されかつ互いに重複される四つの焦点を有する光格子を形成する、四つの相互に統合して並置される凸面レンズを個々に有する複数の凸面レンズ群から成る。透明板２４０１の多重焦点を有する粒状光格子の凸面レンズそれぞれの曲率および傾斜角度を設計する原理は、図１１で述べられたものと同様である。
【００４３】
本発明の配光板の第十四の実施例の平面図である図２５および２５Ａを参照して、図面では、透明板２５０１の上面はその上に複数の凸面レンズをそれぞれ含みかつ多重焦点をそれぞれ有する、多粒子を個々に有する複数の粒状光格子２５０３が形成される。この図のこれらの多重焦点を有する粒の光格子２５０３はそれぞれ、一列に配置される四つの焦点を有する光格子を形成する、四つの相互に統合して並置される凸面レンズを個々に有する複数の凸面レンズ群から成る。および透明板２５０１の底面はその上に複数の標準凸面レンズが形成される。透明板２５０１の多重焦点を有する粒状の光格子の凸面レンズそれぞれの曲率および傾斜角度を設計する原理は、図１１で述べられたものと同様であり、標準凸面レンズそれぞれの曲率を設計する原理は図３で述べられたものと同様である。
【００４４】
本発明の配光板の第十五の実施例の平面図である図２６および２６Ａを参照して、図面では、透明板２６０１の上面はその上に複数の凸面レンズをそれぞれ含みかつ多重焦点をそれぞれ有する、多粒子を個々に有する複数の粒状光格子２６０３が形成される。この図のこれらの多重焦点を有する粒の光格子２６０３はそれぞれ、環状に配置される四つの焦点を有する光格子を形成する、四つの相互に統合して並置される凸面レンズを個々に有する複数の凸面レンズ群から成る。および透明板２６０１の底面はその上に複数の標準凸面レンズが形成される。透明板２６０１の多重焦点を有する粒状の光格子の凸面レンズそれぞれの曲率および傾斜角度を設計する原理は、図１１で述べられたものと同様であり、標準凸面レンズそれぞれの曲率を設計する原理は図３で述べられたものと同様である。
【００４５】
本発明の配光板の第十六の実施例の平面図である図２７および２７Ａを参照して、図面では、二重層配光板２７０１の上面は二つの透明板２７０２、２７０３から成り、二つの透明板２７０２、２７０３はそれぞれ、上記の十五種類の配光板の実施例のいずれかに属することが可能で、および互いに重複されることが可能である。図面では、ここに示される二つの透明板は両方とも、第二の実施例で述べられた多重焦点を有する環状の光格子のための透明板であり、この構造により、光線は数回の屈折の後最大角度の屈折を得ることが可能である。
【００４６】
本発明の透明板の少なくとも一つの側が、多重焦点を有する複数の光格子のある配光板を形成するために使用され、およびランプに適用される実施例を示す図２８を参照して、上記の第一から第十五の実施例のいずれかから不規則に選択される配光板は、照明される区域で、従来の半カバー型の隠しカバー１０１の下に可動に取り付けられる。この図では、本発明の第二の実施例のような配光板２８０１が例として使用され、配光板２８０１の上面はその上に多重焦点を有する複数の環状の光格子が形成され、かつ光受容面となるよう光源１０２に面し、配光板２８０１の底面２８０２は光出力面として平面である。
【００４７】
光線２８０５が初回屈折を形成するよう配光板２８０１の光格子２８１２の凸面レンズ２８０６に入るとき、および光線２８０５が平面２８０２に到達するとき、それらは照明される区域に向かって下方かつ右方向に再度屈折する。光線２８０７が初回屈折を形成するよう配光板２８０１の光格子２８１３の凸面レンズ２８０８に入るとき、および光線２８０７が平面２８０２に到達するとき、それらは下方かつ左方向に再度屈折し、および照明される区域に入る。光線２８０９が反射面１０３によって反射された後、初回屈折を形成するよう配光板２８０１の光格子２８１４の凸面レンズ２８１０に入るとき、および光線２８０９が平面２８０２に到達するとき、それらは下方かつ左方向に再度屈折し、および照明される区域に入る。光線２８０３が反射面１０３によって反射された後初回屈折を形成するよう、配光板２８０１の光格子２８１１の凸面レンズ２８０４に入るとき、および光線２８０３が平面２８０２に到達するとき、それらは下方かつ右方向に再度屈折し、および照明される区域に入る。配光板２８０１はランプからのほとんどの光線によって照明される特定の区域の照明を確実に制御することが可能であり、および従って、より広い照明範囲および照明される区域での光線の明るさの均一な分配の効果を得ることが可能である。
【００４８】
本発明の透明板の少なくとも一つの側が、多重焦点を有する複数の光格子のある配光板を形成するために使用され、およびランプに適用される他の実施例を示す図２９を参照して、上記の第十六の実施例の配光板２９０１は、照明される区域で、従来の半カバー型の隠しカバー１０１の下に可動に取り付けられる。この図では、光格子２９０１は、それぞれに多重焦点のある複数の光格子を有する二つの透明板２９０２、２９０３から形成される。
【００４９】
以下の実施例では、本発明の透明板から形成されるストリップ、環、雲、または粒状の多重焦点を有する光格子はまた、以下の種々の構造からも選択されることが可能である。
図３０および３０Ａを参照して、図面では、多重焦点を有する光格子３００１は二つの相互に統合して並置される凹面レンズ３００２および３００３から成り、およびそれぞれ前側および後側の垂直面である二つの面３００４、３００５があり、および多重焦点を有する光格子３００１の底面３００６は平面である。
図３１および３１Ａを参照して、図面では、多重焦点を有する光格子３１０１は三つの相互に統合して並置される凹面レンズ３１０２、３１０３、および３１０４から成り、およびそれぞれ前側および後側の垂直面である二つの面３１０５、３１０６があり、および多重焦点を有する光格子３１０１の底面３１０７は平面である。
図３２および３３Ａを参照して、図面では、多重焦点を有する光格子３２０１は四つの相互に統合して並置される凹面レンズ３２０２、３２０３、３２０４、および３２０５から成り、およびそれぞれ前側および後側の垂直面である二つの面３２０６、３２０７があり、および多重焦点を有する光格子３２０１の底面３２０８は平面である。
図３３および３３Ａを参照して、図面では、多重焦点を有する光格子３３０１は二つのアーチ型（一つの凸面および一つの凹面）の相互に統合して並置される凸面レンズ３３０２、３３０３から成り、およびそれぞれ前側および後側の垂直面である二つの面３３０４、３３０５があり、および多重焦点を有する光格子３３０１の底面３３０６は平面である。
図３４および３４Ａを参照して、図面では、多重焦点を有する光格子３４０１は相互に統合して並置される三つのアーチ型（一つの凸面レンズ３４０２および二つの凹面レンズ３４０３、３４０４）から成り、およびそれぞれ前側および後側の垂直面である二つの面３４０５、３４０６があり、および多重焦点を有する光格子３４０１の底面３４０７は平面である。
図３５および３５Ａを参照して、図面では、多重焦点を有する光格子３５０１は相互に統合して並置される四つのアーチ型（二つの凸面レンズ３５０２、３５０５および二つの凹面レンズ３５０３、３５０４）から成り、およびそれぞれ前側および後側の垂直面である二つの面３５０６、３５０７があり、および多重焦点を有する光格子３５０１の底面３５０８は平面である。
【００５０】
相互に統合して並置される凸面レンズから成る光格子構造は多くの種類があるという理由により、上記に六種類の組成構造を略式に挙げるが、一般的に言えば、二つ以上の焦点を有し、およびストリップ、雲、または環状の、二つ以上の相互に統合して並置されるアーチ型（凹面または凸面）レンズから成る凸面レンズ格子は、すべて本発明の透明板から形成される多重焦点のある光格子の範囲内である。
【００５１】
上記に挙げた多種の実施例により、本発明の配光板は、従来のランプシェードの代わりに従来のランプの光出力面として使用されることが可能であり、従って、本発明の配光板のあるランプセットが形成されることが可能である。
【００５２】
結論として、特に光格子の設計により、本発明の配光板はその予測される効果が得られる。このように本発明は説明され、新規のものとしての特許請求および日本特許証による保障が望ましいものは、以下の通りである。
【符号の説明】
【００５３】
１０１隠しカバー
１０３反射面
１０４フード
２０１菱形格子ユニット
２０２、２０３鋸歯格子
２０４光線
２０５はす縁
２０６平底面
２０７光線
２０８はす縁
２０９、２１０区域
３０１凹凸レンズ格子ユニット
３０２、３０３凹凸レンズ
３０４光線
３０５平底面
３０６光線
３０７区域
４０１光格子
４０２、４０３凸面レンズ
４０５、４０６面
４０７底面
５０１光格子
５０２、５０３、５０４凸面レンズ
５０５、５０６面
５０７底面
６０１光格子
６０２、６０３、６０４凸面レンズ
６０５凸面レンズ
６０６、６０７面
６０８底面
７０１光格子
７０２、７０３凸面レンズ
７０４底面
８０１光格子
８０２、８０３、８０４凸面レンズ
８０５底面
９０１光格子
９０２、９０３、９０４、９０５凸面レンズ
９０６底面
１００１透明板
１００２底面
１００３、１００４、１００５、１００６、１００７、１００８光格子
１００９、１０１０、１０１１、１０１２、１０１３、１０１４、１０１５、１０１６、１０１７凸面レンズ
１０１８、１０１９、１０２０、１０２１、１０２２、１０２３、１０２４、１０２５、１０２６焦点
１１０１透明板
１１０２底面
１１０３光格子
１１０４、１１０５凸面レンズ
１１０６光線
１１０７区域
１１０８光格子
１１０９、１１１０凸面レンズ
１１１１光線
１１１２区域
１１１３光格子
１１１４、１１１５、１１１６凸面レンズ
１１１７光線
１１１８区域
１１１９光線
１１２０区域
１２０１透明板
１２０２底面
１２０３光格子
１３０１透明板
１３０２底面
１３０３光格子
１４０１透明板
１４０２底面
１４０３光格子
１５０１透明板
１５０２底面
１５０３光格子
１６０１透明板
１６０２底面
１６０３光格子
１７０１透明板
１７０２底面
１７０３光格子
１７０４、１７０５、１７０６光格子
１８０１透明板
１８０２底面
１８０３、１８０４、１８０５、１８０６、１８０７、１８０８、１８０９、１８１０、１８１２光格子
１９０１透明板
１９０２底面
１９０３光格子
２００１透明板
２００２底面
２００３光格子
２１０１透明板
２１０２底面
２１０３光格子
２２０１透明板
２２０２底面
２２０３光格子
２３０１透明板
２３０２底面
２３０３光格子
２４０１透明板
２４０２底面
２４０３光格子
２５０１透明板
２５０２底面
２５０３光格子
２６０１透明板
２６０２底面
２６０３光格子
２７０１配光板
２７０２、２７０３透明板
２８０１配光板
２８０２平面
２８０３光線
２８０４凸面レンズ
２８０５光線
２８０６凸面レンズ
２８０７光線
２８０８凸面レンズ
２８０９光線
２８１０凸面レンズ
２８１１、２８１２、２８１３、２８１４光格子
２９０１配光板
２９０２、２９０３透明板
３００１光格子
３００２、３００３凸面レンズ
３００４、３００５面
３００６底面
３１０１光格子
３１０２、３１０３、３１０４凸面レンズ
３１０５、３１０６面
３１０７底面
３２０１光格子
３２０２、３２０３、３２０４、３２０５凸面レンズ
３２０６、３２０７面
３２０８底面
３３０１光格子
３３０２、３３０３アーチ型レンズ
３３０４、３３０５面
３３０６底面
３４０１光格子
３４０２凸面レンズ
３４０３、３４０４凹面レンズ
３４０５、３４０６面
３４０７底面
３５０１光格子
３５０２、３５０３凸面レンズ
３５０４、３５０５凹面レンズ
３５０６、３５０７面
３５０８底面
【図１Ａ】
2009283454.tif 000003
【図１Ｂ】
2009283454.tif 000004
【図２】
2009283454.tif 000005
【図３】
2009283454.tif 000006
【図４】
2009283454.tif 000007
【図４Ａ】
2009283454.tif 000008
【図５】
2009283454.tif 000009
【図５Ａ】
2009283454.tif 000010
【図６】
2009283454.tif 000011
【図６Ａ】
2009283454.tif 000012
【図７】
2009283454.tif 000013
【図７Ａ】
2009283454.tif 000014
【図８】
2009283454.tif 000015
【図８Ａ】
2009283454.tif 000016
【図９】
2009283454.tif 000017
【図９Ａ】
2009283454.tif 000018
【図１０】
2009283454.tif 000019
【図１１】
2009283454.tif 000020
【図１２】
2009283454.tif 000021
【図１２Ａ】
2009283454.tif 000022
【図１２Ｂ】
2009283454.tif 000023
【図１３】
2009283454.tif 000024
【図１３Ａ】
2009283454.tif 000025
【図１３Ｂ】
2009283454.tif 000026
【図１４】
2009283454.tif 000027
【図１４Ａ】
2009283454.tif 000028
【図１４Ｂ】
2009283454.tif 000029
【図１５】
2009283454.tif 000030
【図１５Ａ】
2009283454.tif 000031
【図１５Ｂ】
2009283454.tif 000032
【図１６】
2009283454.tif 000033
【図１６Ａ】
2009283454.tif 000034
【図１６Ｂ】
2009283454.tif 000035
【図１７】
2009283454.tif 000036
【図１７Ａ】
2009283454.tif 000037
【図１８】
2009283454.tif 000038
【図１８Ａ】
2009283454.tif 000039
【図１９】
2009283454.tif 000040
【図１９Ａ】
2009283454.tif 000041
【図１９Ｂ】
2009283454.tif 000042
【図２０】
2009283454.tif 000043
【図２０Ａ】
2009283454.tif 000044
【図２０Ｂ】
2009283454.tif 000045
【図２１】
2009283454.tif 000046
【図２１Ａ】
2009283454.tif 000047
【図２２】
2009283454.tif 000048
【図２２Ａ】
2009283454.tif 000049
【図２３】
2009283454.tif 000050
【図２３Ａ】
2009283454.tif 000051
【図２４】
2009283454.tif 000052
【図２４Ａ】
2009283454.tif 000053
【図２５】
2009283454.tif 000054
【図２５Ａ】
2009283454.tif 000055
【図２６】
2009283454.tif 000056
【図２６Ａ】
2009283454.tif 000057
【図２７】
2009283454.tif 000058
【図２７Ａ】
2009283454.tif 000059
【図２８】
2009283454.tif 000060
【図２９】
2009283454.tif 000061
【図３０】
2009283454.tif 000062
【図３０Ａ】
2009283454.tif 000063
【図３１】
2009283454.tif 000064
【図３１Ａ】
2009283454.tif 000065
【図３２】
2009283454.tif 000066
【図３２Ａ】
2009283454.tif 000067
【図３３】
2009283454.tif 000068
【図３３Ａ】
2009283454.tif 000069
【図３４】
2009283454.tif 000070
【図３４Ａ】
2009283454.tif 000071
【図３５】
2009283454.tif 000072
【図３５Ａ】
2009283454.tif 000073
【外国語明細書】
2009283454000001.pdf